(57)【特許請求の範囲】
【請求項１】
表示ユニット用に行列配置される表示ランプであって、
４辺を有する矩形形状の筐体と、
光の三原色を発光する三種のＬＥＤを前記筐体内に前記筐体の中央を中心とした円周上に配置したＬＥＤ集合体と、
前記ＬＥＤ集合体と前記筐体との間を充填する充填材と、を備え、
前記円周上に配置されたＬＥＤのうち、前記４辺の近傍に配置されたＬＥＤの隣り合う間隔は前記４辺による４つの角部の近傍に配置されたＬＥＤの隣り合う間隔よりも大きいことを特徴とする表示ランプ。
【請求項２】
前記ＬＥＤ集合体は、前記三種のＬＥＤの光量がそれぞれ均等になる割合で分散配列してなる請求項１記載の表示ランプ。
【請求項３】
前記ＬＥＤ集合体は、前記筐体の中央を中心とした第１半径の円周上に配置されたＬＥＤと、前記筐体の中央を中心とした前記第１半径より大きな第２半径の円周上に配置されたＬＥＤと、を備えることを特徴とする請求項１又は請求項２に記載の表示ランプ。
【請求項４】
前記第１半径の円周上に配置されたＬＥＤは、均等間隔に配置され、
前記第２半径の円周上に配置されたＬＥＤのうち、前記４辺の近傍に配置されたＬＥＤの隣り合う間隔は前記４辺による４つの角部の近傍に配置されたＬＥＤの隣り合う間隔よりも大きいことを特徴とする請求項３に記載の表示ランプ。
【請求項５】
前記第２半径の円周上に配置されたＬＥＤは、前記三種のＬＥＤを１セットとして隣同士の色が同色にならないように配置されていることを特徴とする請求項３に記載の表示ランプ。
【請求項６】
前記ＬＥＤはリード線、このリード線に接続されるＬＥＤチップ及びこのＬＥＤチップを覆う封止樹脂とからなり、
前記充填材はこの封止樹脂との接触面積が大きくなるように末広がりに充填されているとともに、前記充填材が前記封止樹脂に接する先端は前記ＬＥＤチップより前記リード線側であることを特徴とする請求項１から請求項５のいずれか一項に記載の表示ランプ。
【請求項７】
前記筐体の一辺部に遮光兼防滴用のシェーダが設けられてなる請求項１から請求項６のいずれか一項に記載の表示ランプ。
【請求項８】
請求項１から請求項７のいずれかの表示ランプを所要行列配置した前記表示ユニットを複数配置して、所定距離離れた位置から前記三原色以外に複数の色と認識される文字又は数字を表示させる表示装置。
【発明の詳細な説明】
【技術分野】
【０００１】
この発明は、光の三原色（赤、緑、青）を発光する３種のＬＥＤ（Light Emitting Diode）を多数個筐体内に収容した表示ランプと、この表示ランプを使った表示装置に関する。
【背景技術】
【０００２】
従来のＬＥＤ数値表示盤は、ＬＥＤを７セグメント配置して区分点灯させていた。例えば特許文献１では、ＬＥＤなどを７セグメント配置した表示装置（電光表示盤）を開示している。このようなセグメントは、特許文献２に示されるようなＬＥＤを組み合わせた表示ランプから構成されている。特許文献２に開示される表示ランプは、２５個ＬＥＤが５行５列に並んで配置されている。
【特許文献１】特開２００１−５１６２６号公報
【特許文献２】特開平８−３１２２１号公報
【発明の開示】
【発明が解決しようとする課題】
【０００３】
しかし、特許文献２に開示される表示ランプでは、２５個のＬＥＤが赤色であったり、緑色であったりする単色で構成されている。このような表示ランプを使用した表示装置は、単色であり人の目を引きにくい。また、表示ランプが５行５列に並んでいるため、この表示ランプを使った表示装置では「．」や文字の形状が角の強調された「．」や文字となってしまう。
【０００４】
そこで本発明は、三原色ＬＥＤを使って表示ランプを構成するとともに、この表示ランプの各ＬＥＤを選択的に発光させることによって３色より多くの多色に変化させることを目的とする。また、この表示ランプを使って文字又は数字を自然体に近い字形として表示する表示装置を提供するものである。
【課題を解決するための手段】
【０００５】
本発明の表示ランプ（「ＬＥＤクラスタ」という）は、光の三原色を発光する三種のＬＥＤを１個の矩形方形の筐体内に多数個配置してＬＥＤ集合体として構成し、各ＬＥＤを表示色に対応して選択切替えて点灯することによって、例えば１０ｍ以上離れた距離から４色以上を発色できるものである。
【０００６】
第１の観点の表示ランプは、表示ユニット用に行列配置される表示ランプであって、４辺を有する矩形形状の筐体と、光の三原色を発光する三種のＬＥＤを筐体内に筐体の中央を中心とした円周上に配置したＬＥＤ集合体と、ＬＥＤ集合体と筐体との間を充填する充填材と、を備え、円周上に配置されたＬＥＤのうち４辺の近傍に配置されたＬＥＤの隣り合う間隔は４辺による４つの角部の近傍に配置されたＬＥＤの隣り合う間隔よりも大きい。
このようなＬＥＤの配置にすることにより、表示ランプが行列に並べられた場合に隣り合う表示ランプの光量が一定になる。
【０００７】
第２の観点の表示ランプのＬＥＤ集合体は、三種のＬＥＤの光量がそれぞれ均等になる割合で分散配列してなる。
例えば、１つの赤のＬＥＤが弱い光量であれば、赤のＬＥＤを多く筐体内に配置するようにする。
【０００８】
第３の観点の表示ランプのＬＥＤ集合体は、筐体の中央を中心とした第１半径の円周上に配置されたＬＥＤと、筐体の中央を中心とした第１半径より大きな第２半径の円周上に配置されたＬＥＤと、を備える。
【０００９】
第４の観点の表示ランプにおいて、第１半径の円周上に配置されたＬＥＤは、均等間隔に配置され、第２半径の円周上に配置されたＬＥＤのうち、４辺の近傍に配置されたＬＥＤの隣り合う間隔は４辺による４つの角部の近傍に配置されたＬＥＤの隣り合う間隔よりも大きい。
【００１０】
第５の観点の表示ランプにおいて、第２半径の円周上に配置されたＬＥＤは、三種のＬＥＤを１セットとして隣同士の色が同色にならないように配置されている。
【００１１】
第６の観点の表示ランプのＬＥＤは、リード線、このリード線に接続されるＬＥＤチップ及びこのＬＥＤチップを覆う封止樹脂とからなり、充填材はこの封止樹脂との接触面積が大きくなるように末広がりに充填されているとともに、充填材が封止樹脂に接する先端はＬＥＤチップよりリード線側である。
このような構成にすることにより、ＬＥＤが風雨に対して耐久性を有する構造となる。
また、筐体の一辺部に遮光兼防滴用のシェーダが設けられてなる。
さらに、第７の観点の表示装置は、以上の表示ランプを所要行列配置した表示ユニットを複数配置する。そして表示装置は、文字又は数字を表示させることができる。
【発明の効果】
【００１２】
表示装置は、例えば１０ｍ以上離れた距離で三原色以外に複数の色の表示が可能である上、耐候性を備えている。
また、この表示ランプをマトリックスに配置した表示ユニットを備えた電光表示盤は、例えば温度、湿度、風速或いは大気中の硫黄酸化物濃度など環境情報を数値と共に色変化させて感覚的に表現したり、競技得点、地震などの数値文字を直感的に感得できるように数字の色を多様に変化させて表示したりできる。
【発明を実施するための最良の形態】
【００１３】
＜ＬＥＤクラスタの構成＞
図１（Ａ）は高輝度の第１ＬＥＤクラスタ１０の正面図であり、図１（Ｂ）は第１ＬＥＤクラスタ１０の側面図である。第１ＬＥＤクラスタ１０は、三原色（Ｒ，Ｇ，Ｂ）のいずれかを発光する多数のＬＥＤ１からなるＬＥＤ集合体１Ｇ、ポリカーボネート製筐体２を有している。ＬＥＤ集合体１Ｇは、例えば２１個のＬＥＤ１はポリカーボネート製筐体２に収納している。なお、図１（Ｂ）は理解を助けるため５つのＬＥＤ１のみが描かれており、ＬＥＤ１の色は、Ｒ，Ｇ，Ｂで示している。
【００１４】
図１（Ａ）に示すポリカーボネート製筐体２は、４ｃｍ×４ｃｍの矩形形状である。ポリカーボネート製筐体２は、図１（Ｂ）に示すようにその筐体２の上辺に長く伸び出たシェーダ５を有しており、他の３辺に側壁３を有している。第１ＬＥＤクラスタ１０は野外で使用されることが多いため、太陽光がＬＥＤ集合体１Ｇに直接当たることをできるだけ防ぐために設けられている。また、ポリカーボネート製筐体２の背面に取付基部４が設けられている。第１ＬＥＤクラスタ１０が野外で使用される際に、人の目よりも高い位置に配置されることがあるため、取付基部４は側壁３に対して傾斜させてある。第１ＬＥＤクラスタ１０の設置高さに応じて取付基部４の傾斜角度を変えたり平面にしたりしてもよい。取付基部４には、各ＬＥＤ１の端子に接続する配線ケーブル９が配置されている。
【００１５】
図１（Ａ）に示されるように、ＬＥＤ集合体１Ｇは、筐体２の中央に赤（Ｒ）のＬＥＤ１が１つ配置され、その赤（Ｒ）のＬＥＤ１を中心とした第１半径の円周上Ｃ１にＬＥＤ１が均等間隔で配置されている。赤（Ｒ）のＬＥＤ１を中心とした第２半径の円周上Ｃ２にＬＥＤ１が配置されている。
【００１６】
第２半径の円周上Ｃ２では、三原色（Ｒ，Ｇ，Ｂ）のＬＥＤ１が１セットとなってＲＧＢセット１Ｓを構成しており、ＲＧＢセット１Ｓが４セット配置されている。第２半径の円周上Ｃ２のＬＥＤ１は、筐体２の４辺に近接する領域では間隔が広くなっている。すなわち、辺に近接する領域では、隣り合うＬＥＤ１の間隔が距離Ｘ１又は距離Ｙ１となっており、ＲＧＢセット１Ｓ内の隣り合うＬＥＤ１の間隔より広くなっている。
【００１７】
また、第２半径の円周上Ｃ１のＬＥＤ１と第２半径の円周上Ｃ２のＬＥＤ１との配置は、できるだけ、赤（Ｒ）、緑（Ｇ）青（Ｂ）のＬＥＤ１が隣り合わないように配置する。例えば、青（Ｂ）のＬＥＤ１を発光させた際に、第１ＬＥＤクラスタ１０全体からの輝度が均等になるように配置している。なお、図１（Ａ）では中央に赤（Ｒ）のＬＥＤ１が配置されているが、必ずしも中央に１つＬＥＤを配置させる必要なない。
【００１８】
例えば図１（Ａ）に示されるＬＥＤ集合体１Ｇは、赤（Ｒ）９個、緑（Ｇ）６個、青（Ｂ）６個が構成されているが、これは赤（Ｒ）、緑（Ｇ）青（Ｂ）のＬＥＤ１のそれぞれの光量（カンデラ：ｃｄ）が同じ電流電圧であっても異なるためである。同じ電流電圧で均等な光量が得られれば、ＬＥＤ集合体１Ｇを赤（Ｒ）６個、緑（Ｇ）６個、青（Ｂ）６個の１８個で構成してもよい。後述するように、ＬＥＤ集合体１Ｇ内の赤（Ｒ）、緑（Ｇ）青（Ｂ）の光量を均等にすることで、橙、マゼンタ、シアン及び白などの色を作り出すことができる。本実施形態では、赤（Ｒ）９個、緑（Ｇ）６個、青（Ｂ）６個（いずれも日亜化学製）を全て点灯させたときに、それぞれの色の光量が均等になり、全体として白色で表示される。この白色表示の際に、第１ＬＥＤクラスタ１０は６５００ｃｄ／ｍ２の輝度を得ることができる。
【００１９】
上述したように筐体２内のＬＥＤ１を配置することで、第１ＬＥＤクラスタ１０は、青、緑及び赤の原色発光に加えて、橙、マゼンタ、シアン及び白などを発色できる。即ち、遠目にも鮮明に識別されて視認できるように、図１（Ａ）の第１ＬＥＤクラスタ１０の表示色と選択点灯個数の関係は表１のようである。
【００２０】
表１
【表１】
0004363551.tif 000002
表１に示される表示色以外にも、第１ＬＥＤクラスタ１０は、青（Ｂ）を６つ点灯し緑（Ｇ）を３つ点灯させて青に近いシアンを発光させたり、赤（Ｒ）を９つ及び緑（Ｇ）を３つ点灯させて赤に近い橙を発光させたりすることができる。
【００２１】
なお、第１ＬＥＤクラスタ１０と人の目との距離が例えば１０ｍ以下であれば、一つ一つのＬＥＤ１の光を認識してしまうが、第１ＬＥＤクラスタ１０と人の目との距離が１０ｍ以上であれば、第１ＬＥＤクラスタ１０内の赤（Ｒ）、緑（Ｇ）、青のＬＥＤ１を個々に識別することが人間の目では困難となり、第１ＬＥＤクラスタ１０が橙、マゼンタ、シアン及び白な色を発色していると認識する。なお、第１ＬＥＤクラスタ１０と人の目との距離は、夜間と昼間との違い人間の視力などによって異なってくるが、短いと３から４ｍであり長いと２０ｍぐらいである。
【００２２】
図２は、図１に示した第１ＬＥＤクラスタ１０の断面図である。なお、ある断面には５つのＬＥＤ１が並んでいるわけではないが、図２は理解を助けるため５つのＬＥＤ１が描かれている。
【００２３】
ＬＥＤ１は、モールド樹脂１３とアノードリード及びカソードリードからなるリード線８とを有している。第１ＬＥＤクラスタ１０のＬＥＤ集合体１Ｇは、それぞれのＬＥＤ１のリード線８の端子を絶縁材であるエポキシ基板６にハンダ固定されている。エポキシ基板６は、筐体２のシェーダ５と側壁３とに囲まれた領域内で、筐体２の底面２ＢをＺ平面として固定されている。エポキシ基板６の表面は、水滴及びホコリなどを防ぐため、モールド樹脂１３とリード線８とを充填材７で充填されている。充填材７は太陽光の反射を防ぐため及び赤（Ｒ）、緑（Ｇ）及び青（Ｂ）の各ＬＥＤ１の色を際立たせるため黒色の樹脂が好ましい。このような充填材７として、耐熱・耐光性の接着性シリコーン樹脂が好適である。
【００２４】
図３は、１つのＬＥＤ１を示した拡大断面図であり、図３（Ｂ）は図３（Ａ）の矢印ＡＲの力がＬＥＤ１に加わり充填材７に亀裂が生じた状態を示した図である。
【００２５】
ＬＥＤ１はいわゆるラジアルタイプ（砲弾型とも呼ばれる）であり、２本のリード線８の先端にはＬＥＤチップ１１が接続されており、リード線８及びＬＥＤチップ１１はエポキシ樹脂製のモールド樹脂１３で覆われている。隣り合うＬＥＤ１間の充填材７は断面がＵ字状になるように塗布されている。充填材７がモールド樹脂１３と接する最上点７Ｔは、ＬＥＤチップ１１の高さとほぼ同じ高さ又は若干低い位置Ｚ１まで覆っている。充填材７の最上点７ＴがＬＥＤチップ１１の高さより高くなると、第１ＬＥＤクラスタ１０の斜め方向からＬＥＤ１の光を見にくくなり、第１ＬＥＤクラスタ１０の正面からしか見ることができなくなる可能性がある。
【００２６】
また、充填材７の最下点７Ｂは、モールド樹脂１３の最下点１３Ｂよりも高い位置であればよい。そして、充填材７の最上点７Ｔと最下点７Ｂとの距離Ｚ２はできるだけ大きいほうがよい。第１ＬＥＤクラスタ１０にかかった雨などの水滴が流れ易いようにするためである。
【００２７】
図３（Ｂ）に示されるように、図３（Ａ）の矢印ＡＲに大きな力が加わると、充填材７に亀裂が生じる可能性がある。このような亀裂が生じると、ごみや水滴が亀裂に溜まり第１ＬＥＤクラスタ１０の寿命を短くする。このような亀裂が生じることがないように充填材７は弾性を有するシリコーン樹脂が好適である。
【００２８】
図４（Ａ）は、第２ＬＥＤクラスタ３１を示した図であり、５ｃｍ×５ｃｍのポリカーボネート製筐体２を使用している。第２ＬＥＤクラスタ３１は、４５個のＬＥＤ１を使用してＬＥＤ集合体１Ｇを構成している。
【００２９】
図４（Ａ）に示されるように、ＬＥＤ集合体１Ｇは、筐体２の中央に赤（Ｒ）のＬＥＤ１が１つ配置され、その赤（Ｒ）のＬＥＤ１を中心とした第１半径の円周上Ｃ１にＬＥＤ１が均等間隔で配置されている。赤（Ｒ）のＬＥＤ１を中心とした第２半径の円周上Ｃ２にＬＥＤ１が配置されている。また、第２半径の円周上Ｃ２では、三原色（Ｒ，Ｇ，Ｂ）のＬＥＤ１が１セットとなってＲＧＢセット１Ｓを構成しており、ＲＧＢセット１Ｓが均等に配置されている。５ｃｍ×５ｃｍのポリカーボネート製筐体２のように大きい筐体になると多くのＬＥＤ１を配置することができる。このような場合に、第２半径の円周上Ｃ２より外側の円周では、ＲＧＢセット１Ｓの構成にすることにより、ＬＥＤクラスタとして橙、マゼンタ、シアン及び白などの色が発光しやすくなる。
【００３０】
また、第３半径の円周上Ｃ３では、三原色（Ｒ，Ｇ，Ｂ）のＲＧＢセット１Ｓが８セット配置されている。第３半径の円周上Ｃ３のＬＥＤ１は、筐体２の４辺に近接する領域では、ＲＧＢセット１Ｓ内の隣り合うＬＥＤ１の間隔より広くなっている。すなわち最外周のみ間隔が均等ではない。
【００３１】
第２ＬＥＤクラスタ３１は、赤（Ｒ）１７個、緑（Ｇ）１４個、青（Ｂ）１４個で構成されるＬＥＤ集合体１Ｇを有している。第２ＬＥＤクラスタ３１のＬＥＤ１は、図１で示した第１ＬＥＤクラスタ１０のＬＥＤ１と同じＬＥＤを使用している。このため、第２ＬＥＤクラスタ３１は赤の光量の割合が多くなるので、不図示の可変抵抗などの電流調整器で赤（Ｒ）のＬＥＤ１の光量を下げている。また、緑（Ｇ）の輝度が弱すぎるとき又は青（Ｂ）の輝度が弱すぎるときには、電流調整器で緑（Ｇ）又は青（Ｂ）のＬＥＤ１の光量を上げてもよいし、ＲＧＢセット１Ｓに数個の緑（Ｇ）のＬＥＤ１又は青（Ｂ）のＬＥＤ１を加えてもよい。
【００３２】
図４（Ｂ）は、第３ＬＥＤクラスタ３３を示した図であり、７ｃｍ×７ｃｍのポリカーボネート製筐体２を使用している。第２ＬＥＤクラスタ３１は、６９個のＬＥＤ１を使用してＬＥＤ集合体１Ｇを構成している。
【００３３】
図４（Ｂ）に示されるように、ＬＥＤ集合体１Ｇは、筐体２の中央に赤（Ｒ）のＬＥＤ１から第２半径の円周上Ｃ２のＬＥＤ１は、図４（Ａ）の第２ＬＥＤクラスタ３１と同じように配置されている。第３半径の円周上Ｃ３では、三原色（Ｒ，Ｇ，Ｂ）のＬＥＤ１が１セットとなってＲＧＢセット１Ｓが均等に配置されている。第３ＬＥＤクラスタ３３はさらに、第４半径の円周上Ｃ４に配置したＲＧＢセット１Ｓを有しており、ＲＧＢセット１Ｓが８セット配置されている。第４半径の円周上Ｃ４のＬＥＤ１は、筐体２の４辺に近接する領域では、ＲＧＢセット１Ｓ内の隣り合うＬＥＤ１の間隔より広くなっている。すなわち最外周のみ間隔が均等ではない。
【００３４】
第３ＬＥＤクラスタ３３も、第２ＬＥＤクラスタ３１と同様なＬＥＤ１を使うことで赤の光量の割合が多くなった場合には、不図示の可変抵抗などの電流調整器で赤（Ｒ）のＬＥＤ１の光量を下げている。これにより、三原色（Ｒ，Ｇ，Ｂ）のＬＥＤ１がすべて点灯した場合には第３ＬＥＤクラスタ３３は白色に発光することとなる。
【００３５】
＜電光表示盤の構成＞
図５（Ａ）は、数字を表示する電光表示盤１００の例である。電光表示盤１００は数字表示ユニット５０を３つ配置している。この数字表示ユニット５０は、第１ＬＥＤクラスタ１０を５段７列に配設している。図５に示された数字表示ユニット５０は、「２３％」と表示している。
【００３６】
図５（Ｂ）は、（Ａ）の円形部分を拡大した図であり、第１ＬＥＤクラスタ１０が２列２行に並んでいる状態である。図５（Ｂ）に示されるように、第１ＬＥＤクラスタ１０が２列２行に並んだ状態では、第１ＬＥＤクラスタ１０の対角線上に空間ＳＳができる。この空間ＳＳにおいて光量を増す必要がある。一方で、Ｘ方向又はＹ方向に空間ＳＰを形成していないと隣り合う第１ＬＥＤクラスタ１０のＬＥＤ１で光量が大きくなりすぎる。そのため、シェーダ５及び側壁３の４辺に近接する領域では、第１ＬＥＤクラスタ１０内の隣り合うＬＥＤ１の間隔が広くなっている。
【００３７】
図６は、第１ＬＥＤクラスタ１０を使った数字表示ユニット５０の制御系統図である。この数字表示ユニット５０は、例えば道路などで外気温度や湿度を表示する例である。温度センサーＳは外気温度や湿度を検出するセンサーである。ＡＤ変換回路２１はアナログ信号をデジタル信号に変換する。ＣＰＵ２２は数字情報と予め数字情報に対応させた色情報とを駆動回路２３に出力される。
【００３８】
駆動回路２３は、数字情報に基いて数字表示ユニット５０内のＬＥＤクラスタ１０に信号を送る。また、駆動回路２３は外光の光量を測定する光センサー２４と接続している。光センサー２４は周囲の明るさによって夜か昼かを測定する。
【００３９】
このような構成により数字表示ユニット５０は以下の動作を行う。
まず、温度センサーＳは外気温度又は湿度を検出する。この検出されたアナログ信号がＡＤ変換回路２１でデジタル信号に変換されＣＰＵ２２に入力される。ＣＰＵ２２は温度によってその検出された温度の数字情報と表示色との信号を駆動回路２３に送る。表２はＣＰＵ２２が入力した外気温度に応じて出力する表示色の例である。例えばマイナス３度の外気温度であれば、ＬＥＤクラスタ１０は青のＬＥＤ１のみが発光し、「−１」を表示するための信号が駆動回路２３に送られる。また、例えば外気温度が２３度であれば、赤と緑のＬＥＤ１が発光し「２３」を表示するための信号が駆動回路２３に送られる。駆動回路２３ではこれらの信号に基づいてＬＥＤクラスタ１０を駆動する信号を送る。その際に駆動回路２３は光センサー２４からの信号に基づいて夜間か昼間かを判断し、夜間であれば少ない電流でＬＥＤクラスタ１０を駆動するようにする。
【００４０】
表２
【表２】
0004363551.tif 000003
【００４１】
図７は、文字を表示する電光表示盤１１０の例である。電光表示盤１１０は文字表示ユニット５５を２つ配置している。文字表示ユニット５５は第１ＬＥＤクラスタ１０を１２段１２列に配設して構成している。
【００４２】
文字表示ユニット５５は、第１ＬＥＤクラスタ１０を１２段１２列配列しているので漢字を表示することもできる。また上述したように複数の色を表示することもできる。例えば「熱い」を赤で表示し、「寒い」を青で表示したりすることができる。
【００４３】
以上で説明した数字表示ユニット５０及び文字表示ユニット５５は、第１ＬＥＤクラスタ１０を使用したが、第２ＬＥＤクラスタ３１又は第３ＬＥＤクラスタ３３を使用しても同様である。
【００４４】
以上で説明したＬＥＤ１はいわゆるラジアルタイプであったが、表面実装（ＳＭＤ）用のＬＥＤも市販されている。このような表面実装用のＬＥＤを使用するときには、充填材７の厚さが薄くなるだけでＬＥＤ集合体の配列などは本実施形態と同じように配置すればよい。
【図面の簡単な説明】
【００４５】
【図１】第１ＬＥＤクラスタ１０の正面図及び側面図である。
【図２】第１ＬＥＤクラスタ１０の断面図である。
【図３】ＬＥＤ１、充填材７及びエポキシ基板６の拡大図である。
【図４】第２ＬＥＤクラスタ３１及び第３ＬＥＤクラスタ３３の正面図である。
【図５】数字表示ユニット５０を備えた数字電光表示盤１００の正面図である。
【図７】数字表示ユニット５０の制御系統図である。
【図６】文字表示ユニット５５を備えた文字電光表示盤１１０の正面図である。
【符号の説明】
【００４６】
１  …  ＬＥＤ，  １Ｓ  …  ＬＥＤセット、１Ｇ  …  ＬＥＤ集合体
２  …  筐体
３  …  側壁
４  …  取付基部
５  …  シェーダ
６  …  エポキシ基板
７  …  充填材
８  …  リード線
９  …  配線ケーブル
１０  …  第１ＬＥＤクラスタ
１１  …  ＬＥＤチップ
１３  …  モールド樹脂
２１  …  ＡＤ変換回路
２２  …  ＣＰＵ
２３  …  駆動回路
２４  …  光センサー
３１  …  第２ＬＥＤクラスタ
３３  …  第３ＬＥＤクラスタ
５０  …  数字表示ユニット
５５  …  文字表示ユニット
１００  …  数字用の電光表示盤
１１０  …  文字用の電光表示盤
Ｓ  …  温度センサー又は湿度センサー
Ｃ１、Ｃ２、Ｃ３、Ｃ４  …  半径の異なる円周
【図１】
0004363551.tif 000004
【図２】
0004363551.tif 000005
【図３】
0004363551.tif 000006
【図４】
0004363551.tif 000007
【図５】
0004363551.tif 000008
【図６】
0004363551.tif 000009
【図７】
0004363551.tif 000010